(57)【特許請求の範囲】
【請求項１】
開口部を閉塞する可動屋根と、
この可動屋根を屋根の傾斜方向に沿って昇降可能に案内する走行レールとを備え、
屋根の開口部を開閉する建物の可動屋根装置において、
前記走行レールを建物の内側に配置し、
前記走行レールを前記屋根の梁に対して回動可能に連結するヒンジを備え、
このヒンジを中心に走行レールを下方に回動させることにより前記可動屋根を前記開口部から建物の内側に引き込み、続いて可動屋根を走行レールに沿って移動させることによって開口部を開放する構成としたことを特徴とする可動屋根装置。
【請求項２】
前記可動屋根に連結されるワイヤを備え、
このワイヤを介して可動屋根を前記走行レールに沿って移動させるとともに、走行レールを前記ヒンジを中心に回動させる構成としたことを特徴とする請求項１に記載の可動屋根装置。
【請求項３】
前記走行レールの途中にクランク状に曲折したレール曲折部を形成し、
走行レールが天井に沿うように上昇する構成としたことを特徴とする請求項１また２に記載の可動屋根装置。
【請求項４】
開口部を閉塞する可動屋根と、
この可動屋根を屋根の傾斜方向に沿って昇降可能に案内する走行レールとを備え、
屋根の開口部を開閉する建物の可動屋根装置において、
前記走行レールを建物の内側に固定配置し、
前記可動屋根に走行レールに転接する複数の車輪を備え、
上方の車輪を中心に可動屋根の下端部を下方に回動させることにより可動屋根を開口部から建物の内側に引き込み、続いて可動屋根を走行レールに沿って移動させることによって開口部を開放する構成としたことを特徴とする可動屋根装置。
【請求項５】
前記可動屋根に連結されるワイヤを備え、
このワイヤを介して可動屋根を前記走行レールに沿って移動させるとともに、可動屋根を前記車輪を中心に回動させる構成としたことを特徴とする請求項４に記載の可動屋根装置。
【請求項６】
前記可動屋根の下端部を開口部を塞ぐ閉鎖位置に係止するロック機構を備えたことを特徴とする請求項１から５のいずれか一つに記載の可動屋根装置。
【発明の詳細な説明】
【０００１】
【発明の属する技術分野】
本発明は、建物の屋根に設けられる開閉式の可動屋根装置の改良に関するものである。
【０００２】
【従来の技術】
例えばクレーンに吊り上げられた機材等を建物に搬入するために、建物の屋根に開閉式の可動屋根装置が設けられる。
【０００３】
従来、この種の可動屋根装置として、屋根の外側に走行レールを設け、可動屋根を走行レールに沿って移動させるものがあった。
【０００４】
【発明が解決しようとする課題】
しかしながら、このような従来の可動屋根装置にあっては、図１０に示すように、可動屋根１０１を建物の屋根１０２の上方に押し上げる複数ジャッキシリンダ１０３が必要になったり、あるいは走行レール（図示せず）等を屋根１０２の外側に設ける必要があるため、メンテナンスに手間がかかり、製品のコストアップを招くという問題点があった。
【０００５】
本発明は上記の問題点を鑑みてなされたものであり、走行レール等が建物の外側に露出しない可動屋根装置を提供することを目的とする。
【０００６】
【課題を解決するための手段】
第１の発明は、開口部を閉塞する可動屋根と、この可動屋根を屋根の傾斜方向に沿って昇降可能に案内する走行レールとを備え、屋根の開口部を開閉する建物の可動屋根装置に適用する。
【０００７】
そして、屋根の開口部を開閉する建物の可動屋根装置において、走行レールを建物の内側に配置し、走行レールを前記屋根の梁に対して回動可能に連結するヒンジを備え、このヒンジを中心に走行レールを下方に回動させることにより可動屋根を開口部から建物の内側に引き込み、続いて可動屋根を走行レールに沿って移動させることによって開口部を開放する構成としたことを特徴とするものとした。
【０００９】
第２の発明は、第１の発明において、可動屋根に連結されるワイヤを備え、このワイヤを介して可動屋根を走行レールに沿って移動させるとともに、走行レールをヒンジを中心に回動させる構成としたことを特徴とするものとした。
【００１０】
第３の発明は、第１または第２の発明において、走行レールの途中にクランク状に曲折したレール曲折部を形成し、走行レールが天井に沿うように上昇する構成としたことを特徴とするものとした。
【００１１】
第４の発明は、開口部を閉塞する可動屋根と、この可動屋根を屋根の傾斜方向に沿って昇降可能に案内する走行レールとを備え、屋根の開口部を開閉する建物の可動屋根装置において、走行レールを建物の内側に固定配置し、前記可動屋根に走行レールに転接する複数の車輪を備え、上方の車輪を中心に可動屋根の下端部を下方に回動させることにより可動屋根を開口部から建物の内側に引き込み、続いて可動屋根を走行レールに沿って移動させることによって開口部を開放する構成としたことを特徴とするものとした。
【００１２】
第５の発明は、第４の発明において、可動屋根に連結されるワイヤを備え、このワイヤを介して可動屋根を前記走行レールに沿って移動させるとともに、可動屋根を前記車輪を中心に回動させる構成としたことを特徴とするものとした。
【００１３】
第６の発明は、第１から第５のいずれか一つの発明において、可動屋根の下端部を開口部を塞ぐ閉鎖位置に係止するロック機構を備えことを特徴とするものとした。
【００１４】
【発明の作用および効果】
第１の発明によると、可動屋根は走行レールに沿って閉鎖位置と開放位置の間で移動し、屋根の開口部を開閉する。走行レールは建物の内側に設けられているため、走行レールや車輪等に雨等が当たらず、これらのメンテナンスを容易にし、耐久性を高められる。
【００１５】
そして、閉鎖位置で走行レールは可動屋根と共に上昇するため、走行レールが建物の内側に大きく突出せず、邪魔にならないで済む。
【００１６】
第２の発明によると、ワイヤを介して可動屋根と走行レールが連続して作動するため、この操作が容易になるとともに、構造の簡素化がはかれる。
【００１７】
第３の発明によると、走行レールはその途中にクランク状のレール曲折部を有しているため、走行レールを屋根等に干渉することなく建物の天井面に沿って格納することが可能となり、デザインの上で美観の向上がはかられる。
【００１８】
第４の発明によると、可動屋根は走行レールに沿って閉鎖位置と開放位置の間で移動し、屋根の開口部を開閉する。走行レールは建物の内側に設けられているため、走行レールや車輪等に雨等が当たらず、これらのメンテナンスを容易にし、耐久性を高められる。そして、走行レールを建物に固定して設けることにより、建物の構造の簡素化がはかれる。
【００１９】
第５の発明によると、ワイヤを介して可動屋根が作動するため、この操作が容易になるとともに、可動屋根を押し上げるジャッキシリンダ等を設ける必要がなく、構造の簡素化がはかれる。
【００２０】
第６の発明によると、可動屋根を閉鎖位置に確実に保持することができる。
【００２１】
【発明の実施の形態】
以下、本発明の実施の形態を添付図面に基づいて説明する。
【００２２】
図１の（ａ）図および（ｂ）図は本発明を適用した一例として、建物の屋根１に備えられる可動屋根装置１０を示すもので、２は屋根１を支える梁、３は梁２を支える柱である。複数の可動屋根装置１０が各梁２の間に並んで設けられる。
【００２３】
屋根１には複数の開口部４が梁２の間に開けられる。この開口部４の開口幅は例えば５ｍを超え、開口部４からクレーンに吊り上げられた機材等を建物に搬入するようになっている。
【００２４】
図２に示すように、可動屋根装置１０は、開口部４を閉塞する可動屋根１１と、この可動屋根１１を屋根１の傾斜方向に沿って昇降可能に案内する一対の走行レール２１と、この走行レール２１を屋根１の梁２に対して回動可能に連結するヒンジ３１とを備え、このヒンジ３１を中心に走行レール２１を下方に回動させることにより可動屋根１１を開口部４から建物の内側に引き込み、続いて可動屋根１１を走行レール２１に沿って下降させることによって開口部４を開放する構成とする。
【００２５】
可動屋根１１は閉鎖位置と開放位置の間で移動して屋根１の開口部４を開閉する。閉鎖位置にて、可動屋根１１は開口部４を塞いで屋根１の一部を構成し、図示しないシールを介して雨等が建物の内側に漏れないようになっている。
【００２６】
可動屋根１１の両側部には２対の車輪１２が設けられ、各車輪１２が各走行レール２１内を転動することによって可動屋根１１が走行レール２１に沿って移動する。
【００２７】
なお、走行レール２１の上下端部には可動屋根１１の移動範囲を規制するストッパ２３，２４が設けられている。
【００２８】
可動屋根装置１０の駆動手段として、可動屋根１１の下端中央部に連結される１本のワイヤ４１と、ワイヤ４１を屋根１および柱３に沿って案内するシーブ４３〜４６と、ワイヤ４１を巻き取る手巻きウィンチ４２とが設けられる。このワイヤ４１等を介して可動屋根１１を走行レール２１に沿って移動させるとともに、走行レール２１をヒンジ３１を中心に回動させるようになっている。
【００２９】
梁２はアーチ状に湾曲して形成され、走行レール２１も梁２に沿って湾曲して形成される。走行レール２１の途中にはクランク状のレール曲折部２２を有し、走行レール２１が上昇したときに、走行レール２１が屋根１等に干渉せずに梁２および天井に沿う構成とする。
【００３０】
梁２にはセミオートストッパ５１が設けられる。このセミオートストッパ５１は走行レール２１が屋根１に沿った閉鎖位置に来たとき、走行レール２１に自動的に係合し、走行レール２１の下降を止めるようになっている。
【００３１】
可動屋根装置１０は、以下の手順で開口部４を開放する。
▲１▼セミオートストッパ５１を解除し、走行レール２１の下降を可能とする。
▲２▼ウィンチ４２からワイヤ４１を繰り出し、走行レール２１を矢印ａで示すように下方に回動させる。これにより、閉鎖位置にある可動屋根１１が開口部４から外れ、建物の内側に引き込まれる。
▲３▼ウィンチ４２からワイヤ４１をさらに繰り出し、可動屋根１１を走行レール２１に沿って矢印ｂで示すように下降させ、開放位置へと移動させる。
【００３２】
可動屋根装置１０は、以下の手順で開口部４を閉塞する。
▲４▼ウィンチ４２によってワイヤ４１を巻き取り、可動屋根１１を走行レール２１に沿って上昇させ、走行レール２１の上端に設けられるストッパ２３に可動屋根１１の上端を当接させる。
▲５▼ウィンチ４２によってワイヤ４１をさらに巻き取り、走行レール２１を上方に回動させ、可動屋根１１を開口部４に嵌合させる。
▲６▼セミオートストッパ５１が自動的に作動し、走行レール２１の下降を止める。
【００３３】
以上のように構成され、可動屋根１１は閉鎖位置と開放位置の間で移動し、屋根１の開口部４を開閉する。走行レール２１は建物の内側に設けられているため、走行レール２１や車輪１２等に雨等が当たらず、これらのメンテナンスを容易にし、耐久性を高められる。
【００３４】
走行レール２１はその途中にクランク状のレール曲折部２２を有しているため、走行レール２１を屋根１等に干渉することなく建物の天井面に沿って格納することが可能となる。これにより、走行レール２１が建物の内側に大きく突出せず、邪魔にならないで済む。
【００３５】
１本のワイヤ４１を介して可動屋根１１と走行レール２１が連続して作動するため、この操作が容易になるとともに、構造の簡素化がはかれる。
【００３６】
次に図３〜図９に示す他の実施の形態を説明する。なお、前記実施の形態と同一構成部には同一符号を付す。
【００３７】
図３の（ａ），（ｂ）、図４に示すように、可動屋根装置６０は、可動屋根１１を建物の屋根１の傾斜方向に沿って昇降可能に案内する一対の走行レール６１が建物に固定して設けられる。可動屋根１１の側部には４対の車輪６２〜６５がそれぞれ設けられ、この各車輪６２〜６５が各走行レール６１に転接することにより、可動屋根１１を走行レール６１に沿って案内するようになっている。可動屋根１１は走行レール６１に沿って昇降することにより、昇降可能位置と開放位置の間で移動する。
【００３８】
走行レール６１の下端部の近傍には可動屋根１１の下端を当接させてその移動範囲を規制する一対のバッファ８８が設けられる。
【００３９】
可動屋根１１は閉鎖位置にて開口部４を塞いで屋根１の一部を構成し、図示しないシールを介して雨等が建物の内側に漏れないようになっている。
【００４０】
可動屋根１１は閉鎖位置と開放位置との間で昇降可能位置を経て移動して屋根１の開口部４を開閉する。可動屋根１１は走行レール６１に沿って昇降することにより、昇降可能位置と開放位置の間を移動する。
【００４１】
可動屋根１１が走行レール６１に沿って上昇することにより、上方の各車輪６２が各走行レール６１の上端に設けられるストッパ部に当接し、昇降可能位置に係止される。可動屋根１１は昇降可能位置にてストッパ部に当接した各車輪６２を中心にその下端部を上方に回動させることにより閉鎖位置へと移動する。逆に、閉鎖位置にある可動屋根１１はストッパ部に当接した各車輪６２を中心にその下端部を下方に回動させることにより開口部４から建物の内側に引き込まれる。
【００４２】
可動屋根装置１０の駆動手段として、可動屋根１１の下端中央部に連結される１本のワイヤ７１と、ワイヤ７１を屋根１および柱３に沿って案内するシーブ７３〜７６と、ワイヤ７１を巻き取る手巻きウィンチ７７とが設けられる。このワイヤ７１等を介して可動屋根１１を走行レール６１に沿って移動させるとともに、可動屋根１１をストッパ部に当接した各車輪６２を中心に回動させるようになっている。
【００４３】
図５、図６に示すように、走行レール６１は断面Ｈ字形に形成され、複数のステー６６を介して梁２に固定される。
【００４４】
図５に示すように、車輪６２，６５は水平軸まわりに回転可能に支持されており、断面Ｈ字形の走行レール６１の内側上下面に転接することにより、可動屋根１１の垂直方向の動きを規制している。
【００４５】
図６に示すように、車輪６３，６４は垂直軸まわりに回転可能に支持されており、断面Ｈ字形の走行レール６１の内側面に転接することにより、可動屋根１１の水平方向の動きを規制している。
【００４６】
図７にも示すように、走行レール６１には開閉用レール６７が固定され、下方の車輪６５が開閉用レール６７に転接することにより、可動屋根１１が開口部４を塞ぐ閉鎖位置と車輪６５が走行レール６１に転接する昇降可能位置との間で移動するように案内される。
【００４７】
走行レール６１にはその内側上面の所定位置に開口する複数の切り欠き部（図示せず）が形成されており、可動屋根１１が閉鎖位置と走行可能位置との間で移動する際、各車輪６３〜６５が各切り欠き部を通るようになっている。
【００４８】
可動屋根１１の下端部を閉鎖位置に係止する一対のロック機構８０が設けられる。このロック機構８０は、図８の（ａ），（ｂ），（ｃ）にも示すように、可動屋根１１に固定されたスリーブ８１と、建物の梁２に固定されたスリーブ８２と、各スリーブ８２に摺動可能に支持されるロックピン８３と、ロックピン８３をスリーブ８１から出没させるリンク機構８４とを備える。
【００４９】
リンク機構８４の一方のレバー８５を手動で引き下げることにより、ロックピン８３がスリーブ８２から出てスリーブ８１に挿入され、可動屋根１１の下端部を閉鎖位置に係止する。これにより、可動屋根１１を閉鎖位置に確実に保持できる。
【００５０】
リンク機構８４の他方のレバー８６を手動で引き下げることにより、ロックピン８３がスリーブ８２に引き込まれ、可動屋根１１の下端部を閉鎖位置に係止することを解除する。
【００５１】
なお、ロック機構８０は図９に示すように固定屋根１の外側に設けても良い。
【００５２】
図９に示すように、可動屋根装置１０は以下の手順で開口部４を開放する。
１．ウィンチ７７を巻き上げ、ロックピン８３に受けている可動屋根１１の荷重をワイヤ７１で受ける。
２．ロック機構８０のレバー８６を手動で引き下げることにより、ロックピン８３をスリーブ８１から抜き、可動屋根１１の下降を可能とする。
３．ウィンチ４２からワイヤ７１を繰り出し、可動屋根１１を下方に回動させ、各車輪６５を走行レール６１に当接させる。これにより、閉鎖位置にある可動屋根１１が開口部４から外れ、建物の内側に引き込まれる。
４．ウィンチ４２からワイヤ７１をさらに繰り出し、可動屋根１１を走行レール６１に沿って下降させ、開放位置へと移動させる。
５．可動屋根１１がバッファ８８に当接し、開放位置に保持される。
【００５３】
一方、可動屋根装置１０は、上記の手順と略逆の動作で開口部４を閉塞するようになっている。
【００５４】
以上のように構成され、走行レール６１を建物に固定して設けることにより、建物の構造の簡素化がはかれる。
【００５５】
１本のワイヤ７１を介して可動屋根１１が閉鎖位置と開放位置との間で昇降可能位置を経て作動するため、この操作が容易になるとともに、可動屋根１１を押し上げるジャッキシリンダ等を設ける必要がなく、構造の簡素化がはかれる。
【００５６】
さらに他の実施の形態として、可動屋根を走行レールに沿って上昇させることによって開口部を開放する構成としてもよい。
【００５７】
本発明は上記の実施の形態に限定されずに、その技術的な思想の範囲内において種々の変更がなしうることは明白である。
【図面の簡単な説明】
【図１】本発明の実施の形態を示す可動屋根装置の平面図および断面図。
【図２】同じく可動屋根装置の断面図。
【図３】他の実施の形態を示す可動屋根装置の平面図および断面図。
【図４】同じく図３のＤ−Ｄ線に沿う断面図。
【図５】同じく図３のＡ−Ａ線に沿う断面図。
【図６】同じく図３のＢ−Ｂ線に沿う断面図。
【図７】同じく図３のＣ部の詳細図。
【図８】同じくロック機構の平面図および断面図。
【図９】同じく可動屋根装置の動作を示す図。
【図１０】従来例を示す可動屋根装置の断面図。
【符号の説明】
１  屋根
２  梁
４  開口部
１０  可動屋根装置
１１  可動屋根
１２  車輪
２１  走行レール
２２  レール曲折部
３１  ヒンジ
４１  ワイヤ
４２  ウィンチ
５１  セミオートストッパ
６１  走行レール
６２〜６５  車輪
７１  ワイヤ
７７  ウィンチ
８０  ロック機構
【図１】
0003764104.tif 000002
【図２】
0003764104.tif 000003
【図３】
0003764104.tif 000004
【図４】
0003764104.tif 000005
【図５】
0003764104.tif 000006
【図６】
0003764104.tif 000007
【図７】
0003764104.tif 000008
【図８】
0003764104.tif 000009
【図９】
0003764104.tif 000010
【図１０】
0003764104.tif 000011